(57)【特許請求の範囲】
【請求項１】
入口ポートと、雄型ルアー部と、該雄型ルアー部の側壁内の少なくとも一つの出口ポートと、前記入口ポートと前記少なくとも一つの出口ポートとの間の流路と、を有する本体と、
前記本体の雄型ルアー部の先端ではなく側面に配置された弾性スリーブであって、当該医療用コネクタの前記雄型ルアー部が分離された状態にあるとき前記本体の前記少なくとも一つの出口ポートを塞ぐ弾性スリーブと、
前記少なくとも一つの出口ポートの近位にある前記雄型ルアー部の端部に固定されたスキージ先端と、
を備え、
医療用アクセス装置内に当該医療用コネクタの前記雄型ルアー部を挿入したときに前記弾性スリーブが前記雄型ルアー部に沿って圧縮し、これによって前記少なくとも一つの出口ポートを開放し当該医療用コネクタを通る流路を形成することを特徴とする医療用コネクタ。
【請求項２】
前記本体に取り付けられたスピンロックをさらに備え、該スピンロックは前記医療用アクセス装置に取り付けるためのねじ部を備えることを特徴とする請求項１に記載の医療用コネクタ。
【請求項３】
前記弾性スリーブは、前記少なくとも一つの出口ポートから遠位にある、前記本体の前記雄型ルアー部の端部に固定されることを特徴とする請求項１または２に記載の医療用コネクタ。
【請求項４】
前記スキージ先端は、前記医療用アクセス装置から余分な流体を取り除き、前記弾性スリーブに接続された格納式シールリングによって当該医療用コネクタ内に前記余分な流体が閉じ込められるようにすることを特徴とする請求項１ないし３のいずれかに記載の医療用コネクタ。
【請求項５】
前記格納式シールリングは、前記少なくとも一つの出口ポートの近位にある前記弾性スリーブの端部に取り付けられており、前記弾性スリーブと前記本体の前記雄型ルアー部との間に前記余分な流体が閉じ込められることを特徴とする請求項４に記載の医療用コネクタ。
【請求項６】
医療用アクセス装置に接続するための医療用コネクタであって、
入口ポートと、雄型ルアー部と、該雄型ルアー部の側壁内の少なくとも一つの出口ポートと、前記入口ポートと前記少なくとも一つの出口ポートとの間の流路と、を有する本体と、
前記本体の前記雄型ルアー部の先端ではなく側面に配置され、前記少なくとも一つの出口ポートから遠位にある端で前記本体に固定される弾性スリーブであって、前記本体の前記少なくとも一つの出口ポートの近位にあり弾性スリーブが伸張状態にあるときに前記少なくとも一つの出口ポートを封止可能であるシールリングを備える、弾性スリーブと、
前記少なくとも一つの出口ポートの近位にある前記雄型ルアー部の端部に固定されたスキージ先端と、
を備え、
前記弾性スリーブは、前記本体の前記雄型ルアー部が前記医療用アクセス装置内に挿入されるときに圧縮されるように配置されており、圧縮によって前記本体の前記雄型ルアー部に沿って前記少なくとも一つの出口ポートから離れて前記シールリングが移動し、これによって前記少なくとも一つの出口ポートの封止が解かれコネクタを通る流路が形成されることを特徴とする医療用コネクタ。
【請求項７】
前記本体に取り付けられたスピンロックをさらに備え、該スピンロックは前記医療用アクセス装置に取り付けるためのねじ部を備えることを特徴とする請求項６に記載の医療用コネクタ。
【請求項８】
前記スキージ先端は、前記医療用アクセス装置から余分な流体を取り除き、格納式シールによって当該医療用コネクタ内に前記余分な流体が閉じ込められるようにすることを特徴とする請求項６または７に記載の医療用コネクタ。
【請求項９】
前記格納式シールは、前記本体の前記雄型ルアー部を取り囲む前記弾性スリーブの一部であり、前記弾性スリーブと前記本体の前記雄型ルアー部との間に前記余分な流体が閉じ込められることを特徴とする請求項８に記載の医療用コネクタ。
【請求項１０】
コネクタと医療用アクセス装置とを接続し医療用流体の流路を形成する方法であって、
前記コネクタの雄型ルアー部を前記アクセス装置の雌型ルアー部に挿入し、
前記雄型ルアー部の先端を覆うのではなく側面を取り囲む弾性スリーブを圧縮することによって、前記コネクタの雄型ルアー部の側壁内の少なくとも一つの出口ポートを塞ぐ、前記弾性スリーブの格納式シールを前記少なくとも一つの出口ポートから後退させ、
前記コネクタの前記雄型ルアー部が前記アクセス装置内に十分に挿入されて、前記コネクタから前記少なくとも一つの出口ポートを通り前記アクセス装置に入る流路を形成するとき、前記コネクタを通る流路を形成し、
前記アクセス装置の前記雌型ルアー部から前記コネクタの前記雄型ルアー部を取り外すとき、前記格納式シールで前記少なくとも一つの出口ポートを再封止させる
ことを含み、
前記コネクタは、前記少なくとも一つの出口ポートの近位にある前記雄型ルアー部の端部に固定されたスキージ先端を備えることを特徴とする方法。
【請求項１１】
前記格納式シールは、前記コネクタの前記雄型ルアー部を取り囲む弾性スリーブの一部であり、該弾性スリーブは、前記少なくとも一つの出口ポートから遠位にある前記コネクタの前記雄型ルアー部の端部に固定されることを特徴とする請求項１０に記載の方法。
【請求項１２】
前記格納式シールを後退させることは、前記医療用アクセス装置内への挿入時に、前記雄型ルアー部に沿って弾性スリーブを圧縮することを含む請求項１０または１１に記載の方法。
【請求項１３】
前記スキージ先端を使用して前記医療用アクセス装置から余分な流体を取り除き、前記格納式シールによって前記余分な流体を前記コネクタ内に閉じ込めることをさらに含む請求項１０ないし１２のいずれかに記載の方法。
【請求項１４】
前記格納式シールは、前記コネクタの前記雄型ルアー部を取り囲む前記弾性スリーブの一部であり、該弾性スリーブは、前記少なくとも一つの出口ポートから遠位にある前記雄型ルアー部の端部に固定されており、前記弾性スリーブと前記雄型ルアー部との間に前記余分な流体が閉じ込められることを特徴とする請求項１３に記載の方法。
【発明の詳細な説明】
【技術分野】
【０００１】
本発明は、流体輸送用途で使用される医療用コネクタに関し、より詳細には接続および分離中の流体の漏出を最小化するコネクタに関する。
【背景技術】
【０００２】
静脈流体ライン、血液アクセス、血液透析、腹膜透析、経腸栄養法、薬瓶アクセス等に接続して使用される流体輸送システムにおいて、医療接続が広く使用されている。多くの従来技術の無菌医療接続は、流体と接触する一面を有する弾性の隔壁または隔膜を、先の尖った中空の皮下注射針で突き刺してきた。このような皮下注射針の使用は、針刺しにより獲得される感染症に関連して安全性およびコストの両方を考慮した結果、徐々に減少してきている。これらの接続は、皮下注射針を必要とせず代わりに注射器または静脈ラインの端部にあるルアー（luer）などのアクチベーター（activator）を使用してコネクタ内のバルブを通る流路を形成する、ルアー作動コネクタに置き換えられつつある。ラインの分離時に、コネクタを取り外すことでバルブが閉じられる。この種のシステムは、Ross et al.の米国特許第５，５６９，２３５号に記載されている。
【０００３】
Rossにより記載されたもののようなこのタイプの典型的なコネクタおよびバルブは、患者の静脈（ＩＶ）接続による以外、医療提供者または患者が触れた場合に有害であり得る流体を輸送する医療用途では理想的とは言えない多くの特性を有する。化学療法などの腫瘍の薬剤は、治療計画の一部としては患者にとって有益であるものの、医療提供者または患者の皮膚に化学療法の薬剤が触れた場合に医療提供者にとって極めて有害になる流体の例である。
【０００４】
従来の医療用コネクタは、特にコネクタに流体が供給されているときの分離時に、コネクタ内部に薬剤が残ったりまたは薬剤が滴る可能性があるため、医療従事者はコネクタの接続または分離に細心の注意を払う必要がある。一部の雌型コネクタは、分離時に、コネクタののど部内の流体を表面に押し出すように設計されている。この設計は、拭き取り可能な表面（swabbable surface）を提供する無菌コネクタにとっては望ましいが、分離時に装置から流体が滴り落ちることがある。別のコネクタは、コネクタから流体が漏れてしまう隔膜を備えた薄膜を使用する。
【発明の概要】
【発明が解決しようとする課題】
【０００５】
必要なものは、既存の医療用コネクタとともに使用される標準の接続部を有し、接続または分離中の液滴を最小化または排除するコネクタである。
【課題を解決するための手段】
【０００６】
本文書で述べられる概念の実施形態は、流体の漏出を最小化する医療用コネクタおよび方法を説明する。医療用コネクタおよび方法は、入口ポートと、本体の雄型ルアー部に隣接する少なくとも一つの出口ポートと、入口ポートと少なくとも一つの出口ポートとの間の流路と、を有する本体を備える。医療用コネクタの雄型ルアー部が分離された状態にあるとき、本体の雄型ルアー部に隣接する格納式シールが本体の出口ポートを塞ぐ。医療用アクセス装置内に医療用コネクタの雄型ルアー部を挿入したとき、格納式シールが出口ポートから離れて移動し、これによって出口ポートを開放し医療用コネクタを通る流路を形成するように、格納式シールが本体上に配置される。
【０００７】
他の実施形態では、医療用アクセス装置に接続するための医療用コネクタが説明される。このコネクタは、入口ポートと、本体の雄型ルアー部に隣接する少なくとも一つの出口ポートと、入口ポートと少なくとも一つの出口ポートとの間の流路と、を有する本体と、本体の雄型ルアー部に適合され、出口ポートから遠位にある端で本体に固定される弾性スリーブと、を備える。弾性スリーブは、本体の出口ポートの近位にあり、弾性スリーブが伸張状態にあるときに出口ポートを封止可能であるシールリングを備える。弾性スリーブは、本体の雄型ルアー部が医療用アクセス装置内に挿入されるときに圧縮されるように配置される。圧縮によって本体の雄型ルアー部に沿ってシールリングが出口ポートから離れて移動し、これによって出口ポートの封止が解かれコネクタを通る流路が形成される。
【０００８】
別の実施形態では、コネクタとアクセス装置とを接続し医療用流体の流路を形成する方法が説明される。本方法は、コネクタの雄型ルアー部をアクセス装置の雌型ルアー部に挿入し、コネクタの雄型ルアー部内の出口ポートを塞ぐシールを出口ポートから後退させることを含む。本方法は、コネクタの雄型ルアー部がアクセス装置内に十分に挿入されて、コネクタから出口ポートを通りアクセス装置に入る流路を形成するとき、コネクタを通る流路を形成し、アクセス装置の雌型ルアー部からコネクタの雄型ルアー部を取り外すとき、シールで出口ポートを再封止させることをさらに含む。
【０００９】
以下の本発明の詳細な説明をより良く理解できるようにするため、上記では本発明の特徴および技術的な利点をかなり広く概説した。本発明の請求項の主題を構成する本発明のさらなる特徴および利点が以下で説明される。本発明と同様の目的を実行するための他の構造を修正しまたは設計するための基礎として、開示された概念および特定の実施形態を容易に利用できることを、当業者は認めるべきである。また、このような等価の構成は、添付の請求項で述べられる本発明の精神および範囲から逸脱しないことも、当業者は理解すべきである。本発明を特徴づけると考えられる新規な特徴は、その構成および動作方法の両方に関して、さらなる目的および利点とともに、添付の図面とともに考慮されるとき以下の説明からより良く理解されるだろう。しかしながら、各図面は図解および説明のみを目的として提供されており、本発明を限定する定義として意図されていないことは、明確に理解されるべきである。
【００１０】
本発明をより完全に理解するために、添付の図面とともに与えられる以下の説明を参照する。
【図面の簡単な説明】
【００１１】
【図１】本文書に記載の概念にしたがった、流体配送用の雄型ルアー（male luer）医療用コネクタの一実施形態の斜視図である。
【図２】図１に示した雄型ルアー医療用コネクタの断面図である。
【図３Ａ】図１に示した雄型ルアー医療用コネクタの構成要素の実施形態の斜視図である。
【図３Ｂ】図１に示した雄型ルアー医療用コネクタの構成要素の実施形態の斜視図である。
【図３Ｃ】図１に示した雄型ルアー医療用コネクタの構成要素の実施形態の斜視図である。
【図４Ａ】本文書に示した概念に係る雄型ルアー医療用コネクタの一実施形態と、変形可能なバルブプラグ型医療用コネクタの非接続時の断面図である。
【図４Ｂ】本文書に示した概念に係る雄型ルアー医療用コネクタの一実施形態と、変形可能なバルブプラグ型医療用コネクタの接続時の断面図である。
【発明を実施するための形態】
【００１２】
図１を参照すると、本文書に記載の概念にしたがった医療用コネクタ１００の一実施形態が示されている。医療用コネクタ１００は、本体１０１とスピンロック部１０２とを有するスピンロックルアーとして機能する。雄型ルアー本体はＩＳＯ５９４−２に準拠しており、標準の無針アクセス装置と適合する。医療用コネクタ１００は、医療用コネクタ１００の近位端で雄型ルアー部１０５の上に格納式の弾性スリーブ１０３を含む点で、従来のスピンロックルアーとは異なる。医療用コネクタ１００の遠位端は、ＩＶ（静脈）流体バッグ、ポンプ等の流体輸送源または装置に接続可能である入口ポート１０４を備える。
【００１３】
従来の無針医療用コネクタと同様に、医療用コネクタ１００の雄型ルアー部１０５は、別の無針アクセス装置の雌型ルアーの中に挿入されて、流体輸送機構と患者との間に流路を形成する。医療提供者または患者にとって有害であり得る医療用流体の滴りおよび漏出を避けるために、医療用コネクタ１００は、別のアクセス装置と医療用コネクタ１００の接続時に、または特に両方の装置に流体が供給されているときの別のアクセス装置からの医療用コネクタの分離時に、流体の滴りまたは漏出を最小化または排除するように設計されている。
【００１４】
図２を参照すると、図１の医療用コネクタの断面図が示されている。上述のように、医療用コネクタ２００は本体２０１を備える。本体２０１は、コネクタ２０１を他のアクセス装置にしっかりと取り付けることを可能とするねじ部２１１に隣接して入口ポート２０４を有している。入口接続部２１０は、別の無針アクセス装置の雄型ルアーを受け入れ、流路２１２に流体を通過させる雌型ルアー（female luer）コネクタとして示されている。コネクタ２００は雌型ルアータイプのコネクタを有するものとして図示されているが、ボンドポケット（bond pocket）または他のコネクタなどの任意のタイプの入口ポートを使用することができ、これらは本文書で述べる概念の範囲内にある。流路２１２はコネクタ２００の雄型ルアー部２０５内の出口ポート２０６と連通する。流路が雄型ルアーの端部に直接出る他の同様の医療用コネクタとは異なり、出口ポート２０６は、本体２０１の雄型ルアー部２０５の側壁内の通路であり、雄型ルアー部２０５の先端は閉じられている。本文書で述べる概念にしたがった医療用コネクタの実施形態では、雄型ルアー部２０５の先端がスキージ（squeegee）先端２０７を備えていてもよい。スキージ先端の作用は、図４を参照して説明する。スピンロック部２０２は本体２０１の近位端の周りを囲み、医療用コネクタ２００を他のアクセス装置に接続するためのねじ部を有する内部チャンバ２０９を備える。
【００１５】
スピンロック部２０２のチャンバ２０９の内側に、本体２０１の雄型ルアー部２０５を取り囲んで、弾性スリーブ２０３がある。弾性スリーブ２０３は、図２に示すように弾性スリーブ２０３が伸張位置にあるときに出口ポート２０６を塞ぐように作用するシールリング２１９をその近位端に備える。後述するように、弾性スリーブ２０３をチャンバ２０９内に押し込んで出口ポート２０６を解放し、コネクタ２００を通して流路２１２を完成させることができる。弾性スリーブ２０３の実施形態では、コネクタ２００を別のアクセス装置に係合することによって、シールリング２１９がチャンバ２０９内に押し込まれるときに、スリーブ部２０８を一箇所に集められるようにスリーブ部２０８をアコーディオン状に形成することができる。
【００１６】
図３Ａ、３Ｂおよび３Ｃを参照すると、本文書で述べる概念にしたがった医療用コネクタの本体、弾性スリーブおよびスピンロック部の実施形態がそれぞれ示されている。図３Ａは、本体３０１の一実施形態を示す。上述のように、本体３０１は、接続機構３１０を有する入口ポート３０４、出口ポート３０６、流路３１２および雄型ルアー部３０５を備える。本体３０１の遠位端に、入口ポート３０４と隣接して、ねじ部３１１または他の接続機構を配置することができる。グリップ３１７を使用して、医療従事者による本体３０１の操作を容易にする。プレート３１３は、フランジ３１８および溝３１４とともに作用し、スピンロック部３０２を保持する一方、本体３０１に対してスピンロック部３０２が回転できるようにする。スピンロック部３０２内のフランジが溝３１４内のスナップと適合し、プレート３１３およびフランジ３１８によってスピンロック部が適所に保持される。
【００１７】
同様に、フランジ３１８、溝３１５およびフランジ３１６を使用して、本体３０１に対して弾性スリーブ３０３を適所に保持する。弾性スリーブ３０３の端部３２１の内側にある別のフランジが溝３１５内に適合してフランジ３１８および３１５によって適所に保持され、これによって弾性スリーブ３０３が適所に保持される。フランジおよび溝の構成を用いてスピンロック部３０２および弾性スリーブ３０３を本体３０１に取り付ける様子が図示されているが、当業者であれば、様々な部品を接続するために任意の数の構成を利用することが可能であり、それらは本文書で述べる概念の範囲内にあることを認めるであろう。例えば、接着剤、ロッキング・ハブ、摩擦取り付けまたは他の接続機構を使用して、個々の要素を完成した医療用コネクタに組み立てることができる。本体３０１はポリカーボネイトプラスチックで形成されることが好ましいが、医療用コネクタに適した任意の数の材料で形成されてもよい。
【００１８】
弾性スリーブ３０３の一実施形態が図３Ｂに示されている。弾性スリーブ３０３は、本体３０１への取り付けを提供する端部３２１、スリーブ部３０８およびシールリング３１９を備える。シールリング３１９の内面３２０は、弾性スリーブ３０３が伸張位置にあるときに、本体３０１の出口ポート３０６を塞ぐ。図４Ｂを参照して後述するように、弾性スリーブ３０３のシールリング３１９を端部３２１に向けて押し込んで、弾性スリーブ３０３をスリーブ部３０８に沿って短縮すなわち圧縮することができる。スリーブ部３０８は、弾性スリーブ３０３の圧縮時にスリーブ部３０８が一箇所に集められるすなわち折り畳まれるように、アコーディオン状に形成されてもよい。または、スリーブ部３０８が単に圧縮可能な材料で形成されてもよいし、またはスリーブ部３０８の圧縮および短縮を可能とする他の方法で形成または成型されてもよい。
【００１９】
弾性スリーブ３０３が短縮されると、シールリング３１９の内面３２０が出口ポート３０６から離れて移動し、出口ポートが開放されて本体３０１を通る流路が開通する。本体３０１の雄型ルアー部３０５の実施形態がテーパー状である場合には、流体が漏れるのを十分に防止できるだけ内面３２０が出口ポート３０６に対してきつくはまるように、弾性スリーブの内径がテーパー状にされる必要がある。このテーパーのために、弾性スリーブ３０３が圧縮されるにつれて、シールリング３１９およびスリーブ部３０８が拡大可能であるべきである。弾性スリーブ３０３のこの拡大または伸張は、シールリング３０９に対する圧縮力が取り去られたときに、弾性スリーブ３０３が伸張位置に復帰するのを助けるという利点がある。弾性スリーブ３０３は医療グレードのシリコンで作成されることが好ましいが、弾性スリーブ３０３に対して上述した特性を有する任意の材料で作成することができる。
【００２０】
スピンロック部３０２は、上述のように本体３０１に対して留められるように設計される。スピンロック部は、本体３０１の雄型ルアー部３０５および弾性スリーブ３０３を保持するチャンバ３０９を備える。チャンバ３０９の内面のねじ部３２３により、他のねじ切りされた医療用アクセス装置へのしっかりとした接続が可能になる。グリップレール３２２があるために、スピンロック部３０２を別の医療用アクセス装置にねじ込みまたは別の医療用アクセス装置から外すときに必要となるひねり動作の間、医療従事者がスピンロック部３０２をしっかりと把持することができる。
【００２１】
図４Ａおよび４Ｂを参照すると、医療用コネクタ４００の一実施形態が、別の医療用アクセス装置４５０と関連してコネクタ４００の作用を説明するために示されている。図４Ａは、医療用アクセス装置４５０から取り外されたコネクタ４００を示し、図４Ｂは、医療用アクセス装置４５０と係合され両者を通る流路を形成しているコネクタ４００を示す。コネクタ４００の作用を説明する際には、図４Ａと４Ｂを置き換え可能に参照する。
【００２２】
コネクタ４００は、入口接続機構４１０を有する本体４０１、スピンロック部４０２、および上述したような弾性スリーブ４０３を備える。本体４０１の溝４１４にスピンロックフランジ４２４を合わせることによって、スピンロック部４０２が本体４０１に固定される。フランジ４１８とプレート４１３がスピンロック部４０２を適所に保持し、本体４０１に対してスピンロック部４０２が自由に回転できるようにしている。弾性スリーブ４０３は、溝４１５と係合しかつ本体４０１上のフランジ４１６によって適所に保持されたフランジ４２５により、本体４０１上に適所に保持された遠位端を有する。上述のように、弾性スリーブのシールリング４１９は、コネクタ４００の雄型ルアー４０５内の出口ポート４０６を塞ぐように配置される。
【００２３】
図４Ａから分かるように、コネクタ４００が医療用アクセス装置４５０と位置合わせされると、シールリング４１９の表面４２６が装置４５０の雌型ルアー部４５７の表面４５５と係合するように並ぶ。さらに、コネクタ４００の雄型ルアー部４０５が、バルブプラグ４５３の表面４５４と一列に並ぶ。図４Ｂは、装置４５０と係合したコネクタ４００を示す。係合状態では、弾性スリーブ４０３の表面４２６と装置４５０の表面４５５との接触により、スピンロック部４０２によって形成されたチャンバ４０９内に弾性スリーブが圧縮される。
【００２４】
図示の弾性スリーブ４０３の実施形態では、スリーブ部４０８がアコーディオン状の曲げ部に沿って折り重なるが、圧縮を制御する他の機構も本文書で述べる概念の範囲内に含まれる。弾性スリーブ４０３が圧縮されると、もはや出口弁４０６を閉塞しない。しかしながら、続いて装置４５０の雌型ルアー部４５７ののど部内面によって出口弁４０６が塞がれる。
【００２５】
コネクタ４００の雄型ルアー部４０５が装置４５０の中に挿入され続けると、バルブプラグ４５３が装置４５０の中に押し付けられ、雄型ルアー部４０５の先端がチャンバ４５６に到達する。ここでは、出口ポート４０６がもはや塞がれておらず、コネクタ４００および医療用アクセス装置４５０を通る流路４１２が完成する。コネクタ４００および装置４５０は、コネクタ４００のスピンロック部４０２のねじ部と、装置４５０の雌型ルアー部４５７のねじ部とを使用して、しっかりと取り付けられてもよい。
【００２６】
分離時に、装置４５０からコネクタ４００を取り外すと、雌型ルアー部４５７ののど部内面によって出口ポート４０６が再び塞がれる。これは流路４１２を遮断し、コネクタ４００を通る流体の流れを止める。コネクタ４００が分離されると、弾性スリーブ４０３が雄型ルアー部４０５に沿って延長し、装置４５０から出口ポート４０６が取り除かれると、それらが直ちにシールリング４１９によって閉塞される。図２のスキージ先端２０７を使用して、コネクタ４００を後退させたときに、装置４５０ののど部から弾性スリーブ４０３と雄型ルアー部４０５との間の空間内に流れる余分な流体を引き出すことができる。たとえスキージ先端がなくても、プラグ４５３が延びて装置４５０をシールするので、分離中に放出されるべき流体のみが、装置４５０ののど部内に閉じ込められる流体となる。
【００２７】
バルブプラグ構成を有するものとしてアクセス装置４５０を図示したが、コネクタ４００は、ベローズ型プラグを備える医療用アクセス装置、隔壁（septum）を有する装置、または標準化された雄型ルアーコネクタを受け入れるように設計された他の構成の標準の雌型ルアーとともに機能する。
【００２８】
本発明およびその利点を詳細に説明してきたが、添付の請求項によって定義される本発明の精神および範囲から逸脱することなく、様々な変更、置換および修正をなし得ることを理解すべきである。さらに、本出願の範囲は、明細書に記載されたプロセス、機械、製造、物質の組成、手段、方法およびステップの特定の実施形態に限定されるように意図されていない。当業者であれば、本文書で説明した対応する実施形態と実質的に同一の機能を実行しまたは実質的に同一の結果を達成する既存のまたは将来開発されるプロセス、機械、製造、物質の組成、手段、方法またはステップを本発明にしたがって利用できることを、本発明の開示から容易に理解することができる。したがって、添付の請求項は、そのようなプロセス、機械、製造、物質の組成、手段、方法またはステップをその範囲内に含むように意図されている。
【００２９】
本文書では、少なくとも以下の概念を開示した。
概念１．
入口ポートと、本体の雄型ルアー部に隣接する少なくとも一つの出口ポートと、前記入口ポートと前記少なくとも一つの出口ポートとの間の流路と、を有する本体と、
前記本体の雄型ルアー部に隣接する格納式シールであって、当該医療用コネクタの前記雄型ルアー部が分離された状態にあるとき前記本体の前記出口ポートを塞ぐ格納式シールと、を備え、
医療用アクセス装置内に当該医療用コネクタの前記雄型ルアー部を挿入したときに前記格納式シールが前記出口ポートから離れて移動し、これによって前記出口ポートを開放し当該医療用コネクタを通る流路を形成するように、前記格納式シールが前記本体上に配置されることを特徴とする医療用コネクタ。
概念２．
前記本体に取り付けられたスピンロックをさらに備え、該スピンロックは前記医療用アクセス装置に取り付けるためのねじ部を備えることを特徴とする概念１に記載の医療用コネクタ。
概念３．
前記格納式シールは、前記本体の前記雄型ルアー部を取り囲む弾性スリーブの一部であり、前記少なくとも一つの出口ポートから遠位にある、前記本体の前記雄型ルアー部の端部に固定されることを特徴とする概念１に記載の医療用コネクタ。
概念４．
前記弾性スリーブは、前記医療用アクセス装置内への挿入時に、前記雄型ルアー部に沿って圧縮することを特徴とする概念３に記載の医療用コネクタ。
概念５．
前記出口ポートの近位にある前記雄型ルアー部の端部に固定されたスキージ先端をさらに備えることを特徴とする概念１に記載の医療用コネクタ。
概念６．
前記スキージ先端は、前記医療用アクセス装置から余分な流体を取り除き、前記格納式シールによって当該医療用コネクタ内に前記余分な流体が閉じ込められるようにすることを特徴とする概念５に記載の医療用コネクタ。
概念７．
前記格納式シールは、前記本体の前記雄型ルアー部を取り囲む弾性スリーブの一部であり、前記少なくとも一つの出口ポートから遠位にある前記本体の前記雄型ルアー部の端部に固定されており、前記弾性スリーブと前記本体の前記雄型ルアー部との間に前記余分な流体が閉じ込められることを特徴とする概念６に記載の医療用コネクタ。
概念８．
前記少なくとも一つの出口ポートが、前記本体の前記雄型ルアー部の側壁内に形成されることを特徴とする概念１に記載の医療用コネクタ。
概念９．
医療用アクセス装置に接続するための医療用コネクタであって、
入口ポートと、本体の雄型ルアー部に隣接する少なくとも一つの出口ポートと、前記入口ポートと前記少なくとも一つの出口ポートとの間の流路と、を有する本体と、
前記本体の前記雄型ルアー部に適合され、前記出口ポートから遠位にある端で前記本体に固定される弾性スリーブであって、前記本体の前記出口ポートの近位にあり弾性スリーブが伸張状態にあるときに前記出口ポートを封止可能であるシールリングを備える、弾性スリーブと、を備え、
前記弾性スリーブは、前記本体の前記雄型ルアー部が前記医療用アクセス装置内に挿入されるときに圧縮されるように配置されており、圧縮によって前記本体の前記雄型ルアー部に沿って前記出口ポートから離れて前記シールリングが移動し、これによって前記出口ポートの封止が解かれコネクタを通る流路が形成されることを特徴とする医療用コネクタ。
概念１０．
前記本体に取り付けられたスピンロックをさらに備え、該スピンロックは前記医療用アクセス装置に取り付けるためのねじ部を備えることを特徴とする概念９に記載の医療用コネクタ。
概念１１．
前記出口ポートの近位にある前記雄型ルアー部の端部に固定されたスキージ先端をさらに備えることを特徴とする概念９に記載の医療用コネクタ。
概念１２．
前記スキージ先端は、前記医療用アクセス装置から余分な流体を取り除き、格納式シールによって当該医療用コネクタ内に前記余分な流体が閉じ込められるようにすることを特徴とする概念１１に記載の医療用コネクタ。
概念１３．
前記格納式シールは、前記本体の前記雄型ルアー部を取り囲む弾性スリーブの一部であり、前記少なくとも一つの出口ポートから遠位にある前記本体の前記雄型ルアー部の端部に固定されており、前記弾性スリーブと前記本体の前記雄型ルアー部との間に前記余分な流体が閉じ込められることを特徴とする概念１２に記載の医療用コネクタ。
概念１４．
前記少なくとも一つの出口ポートが、前記本体の前記雄型ルアー部の側壁内に形成されることを特徴とする概念９に記載の医療用コネクタ。
概念１５．
コネクタとアクセス装置とを接続し医療用流体の流路を形成する方法であって、
前記コネクタの雄型ルアー部を前記アクセス装置の雌型ルアー部に挿入し、
前記コネクタの雄型ルアー部内の出口ポートを塞ぐシールを前記出口ポートから後退させ、
前記コネクタの前記雄型ルアー部が前記アクセス装置内に十分に挿入されて、前記コネクタから前記出口ポートを通り前記アクセス装置に入る流路を形成するとき、前記コネクタを通る流路を形成し、
前記アクセス装置の前記雌型ルアー部から前記コネクタの前記雄型ルアー部を取り外すとき、前記シールで前記出口ポートを再封止させることを含む方法。
概念１６．
前記格納式シールは、本体の前記雄型ルアー部を取り囲む弾性スリーブの一部であり、該弾性スリーブは、前記出口ポートから遠位にある前記本体の前記雄型ルアー部の端部に固定されることを特徴とする概念１５に記載の方法。
概念１７．
前記シールを後退させることは、前記医療用アクセス装置内への挿入時に、前記雄型ルアー部に沿って弾性スリーブを圧縮することを含む概念１６に記載の方法。
概念１８．
前記出口ポートの近位にある前記雄型ルアー部の端部に固定されたスキージ先端をさらに備えることを特徴とする概念１５に記載の方法。
概念１９．
前記スキージ先端を使用して前記医療用アクセス装置から余分な流体を取り除き、前記格納式シールによって前記余分な流体を前記医療用コネクタ内に閉じ込めることをさらに含む概念１８に記載の方法。
概念２０．
前記格納式シールは、前記コネクタの前記雄型ルアー部を取り囲む弾性スリーブの一部であり、該弾性スリーブは、前記出口ポートから遠位にある前記雄型ルアー部の端部に固定されており、前記弾性スリーブと前記雄型ルアー部との間に前記余分な流体が閉じ込められることを特徴とする概念１９に記載の方法。
【図１】
0005507564.tif 000002
【図２】
0005507564.tif 000003
【図３Ａ】
0005507564.tif 000004
【図３Ｂ】
0005507564.tif 000005
【図３Ｃ】
0005507564.tif 000006
【図４Ａ】
0005507564.tif 000007
【図４Ｂ】
0005507564.tif 000008